(57)【要約】【課題】  室外機の天板に過剰な重量を作用させることなく、かつ、設置状況に応じて支持部材と屋根部材との相対位置を調整可能とすることにより据付上の利便性を向上させた空気調和機用屋根装置を提供すること。【解決手段】  室外機の上方を覆う屋根部材２と、屋根部材２を支持する支持部材１とを有し、屋根部材２は、後面側から前面側に向かって片流れに傾斜し、かつ、支持部材１に対し左右前後方向に位置調整可能に取り付けられている。【選択図】      図１
2006300432.tif 000002
【特許請求の範囲】
【請求項１】
室外機の上方を覆う屋根部材と、屋根部材を支持する支持部材とを有し、屋根部材は、後面側から前面側に向かって片流れに傾斜し、かつ、支持部材に対し左右前後方向に位置調整可能に取り付けられていることを特徴とする空気調和機用屋根装置。
【請求項２】
請求項１記載の空気調和機用屋根装置において、支持部材には室外機を載置する１又は２以上の取付台部材が取り付けられていることを特徴とする空気調和機用屋根装置。
【請求項３】
前記支持部材は、平面視における４隅に支柱が立設され、該支柱は、前記取付台部材が取り付けられた取付台用支柱と、上部に屋根部材が取り付けられている屋根用支柱とに上下方向に分割可能に形成されていることを特徴とする請求項２記載の空気調和機用屋根装置。
【請求項４】
前記支持部材は、平面視における４隅に立設された支柱と、両側面部に立設された前後の支柱の上端部間に架設される上ステーとを有し、該上ステーは、前記前後の支柱に対し前後方向にスライドさせながら位置調整できるように取り付けられ、前記屋根部材は、前記左右の上ステーに対し左右方向にスライドさせながら位置調整できるように取り付けられていることを特徴とする請求項１〜３の何れか１項記載の空気調和機用屋根装置。
【請求項５】
前記上ステーは、前記支柱の上部及び上ステーに設けられたボルト孔に対しボルトを貫通させ、このボルトに対しナットを締結することにより取り付けられるものであって、前記上ステーに設けられたボルト孔は上ステーの長手方向に長い長孔に形成されていることを特徴とする請求項４記載の空気調和機用屋根装置。
【請求項６】
前記上ステーを後面側の支柱に取り付けるためのボルトとナットとの締結部分に、本空気調和機用屋根装置の転倒防止に使用するフック部が設けられていることを特徴とする請求項５記載の空気調和機用屋根装置。
【請求項７】
前記屋根部材は、屋根部材において左右方向にスライド自在に保持された締結具により前記上ステーに対し取り付けられていることを特徴とする請求項４〜６の何れか１項に記載の空気調和機用屋根装置。
【請求項８】
前記締結具はボルトとナットにより構成され、また、前記屋根部材は、左右方向全長に延びる屋根板を前後方向に複数並べて形成され、該複数の屋根板は、屋根部材の略左右方向全体に延びる屋根板相互の接合部間に、内部の幅寸法が開口部の幅寸法より大きい袋状凹溝が形成されるように構成され、さらに、前記袋状凹溝は、前記締結具を構成するナットがネジ孔を開口部に向けた状態で左右方向にスライド可能に保持できるように形成され、かつ、開口部の幅寸法が前記締結具のボルトを貫通させるのに適合した寸法となるように形成されてなることを特徴とする請求項７記載の空気調和機用屋根装置。
【請求項９】
前記袋状凹溝は、開口部における少なくとも任意の１箇所以上に、屋根部材の裏面側から前記締結具を構成するナットを袋状凹溝内に挿入可能とする切欠孔を有することを特徴とする請求項８記載の空気調和機用屋根装置。
【発明の詳細な説明】
【技術分野】
【０００１】
本発明は、空気調和機の室外ユニット（以下室外機と称する）の上面を覆う空気調和機用屋根装置に関する。
【背景技術】
【０００２】
空気調和機用屋根装置としては、室外機の天板上に固定されるものと、室外機を据え付けるときに室外機を載置する載置台であって、この載置台の上部に屋根を取り付けたものとがある。前者の例として特許文献１がある。特許文献１に記載の空気調和機用屋根装置は、屋根が支持具等を介して室外機の天板上に支持固定された構造である。後者の例として非特許文献１がある。非特許文献１に記載の空気調和機用屋根装置は、空気調和機用載置台を組み合わせて使うものであって、図１４の設置例図に示すように、支持部材１０１と屋根部材１０２とから構成されている。支持部材１０１は、４隅に立設された支柱１０３と、この支柱１０３の下方部に取り付けられた取付台部材１０４とからなる。そして、屋根部材１０２は、室外機１０５を覆うように支持部材１０１の上部に、つまり、支柱１０３の上部に取り付けられている。なお、屋根部材１０２は、支柱１０３に対する取付位置、つまり支持部材１０１に対する相対位置が固定されている。なお、このような空気調和機用載置台は、図１４に示すように、通常建物の外壁面１０６に沿って設置され、室外機１０５は、壁面側に外気吸込口が位置するように載置台部材１０４上に取り付けられる。なお、特許文献１や非特許文献１に記載のような空気調和機用屋根装置は、各製造メーカの室外機に対し汎用的に使用される据付用機器として製造販売されている。
【特許文献１】特開平１１−１５９８０９号公報
【非特許文献１】「業務用カタログ  キャッチャーｇｏシリーズ」、株式会社キャッチャー、防雪屋根
【発明の開示】
【発明が解決しようとする課題】
【０００３】
特許文献１に記載の空気調和機用屋根装置の場合、上記のような構造に形成されているため、屋根、該屋根を支持する支持具、及び屋根に積雪した場合の雪の重量等が室外機の天板に対して加わる。ところが、一般に室外機の天板は、軽量化の要請等により板厚が薄くなっており、雪の重量を想定して製作されているものではない。したがって、積雪量が多い場合には天板強度が不足することも考えられる。
【０００４】
一方、非特許文献１に記載の空気調和機用屋根装置の場合、支持部材１０１に対する屋根部材１０２の取付位置が固定されているため、室外機１０５の据付時に不都合を生じる場合がある。例えば、積雪地方で用いられる場合、空気調和機用載置台の上方に庇などの小屋根がない場合、外気が室外機１０５の背面から吸い込まれるため、降雪時に雪１０７が空気調和機用載置台と外壁面１０６との間に溜まりやすくなる。また、空気調和機用載置台と外壁面１０６との間に溜まった雪１０７は、室外機１０５の送風機（図示せず）に巻き込まれ易く、巻き込まれた雪が送風機の羽根やベルマウスなどに付着して氷塊として成長し、終には送風機の回転に支障をきたす虞がある。また、外壁面１０６にはいろいろな突出物が存在し、この突出物に屋根部材１０２が当るために、空気調和機用載置台が外壁面１０６との距離が大きくなり、空気調和機用載置台の外壁面１０６からの突出を大きくすることになり、場所が嵩張って不便であったり、体裁が悪かったりといった問題も生じていた。なお、外壁面１０６に存在する突出物としては、例えば、出窓であったり、水道管やガス管であったりなど、いろいろな場合が考えられる。
【０００５】
本発明は、上記課題に鑑みなされたものであり、室外機の天板に過剰な重量を作用させることなく、かつ、設置状況に応じて支持部材と屋根部材との相対位置を調整可能とすることにより据付上の利便性を向上させた空気調和機用屋根装置を提供することを目的とする。
【課題を解決するための手段】
【０００６】
本発明に係る空気調和機用屋根装置は、室外機の上方を覆う屋根部材と、屋根部材を支持する支持部材とを有し、屋根部材は、後面側から前面側に向かって片流れに傾斜し、かつ、支持部材に対する相対位置を左右前後方向に調整可能とするように取り付けられていることを特徴とする。
【０００７】
このように構成された空気調和機用屋根装置は、室外機の日除け屋根、防雨屋根、防雪屋根として使用できる。また、防雪屋根として使用する場合、屋根部材の上面に積もった雪は、屋根部材が前方に傾斜しているので室外機の前方にのみ落下する。室外機の前方は、通常、室外機内に搭載された室外コイルと熱交換した後の空気が吹き出される側となっているので、前方に落下した雪で室外機の運転に支障をきたすことが少ない。また、この空気調和機用屋根装置は、支持部材と屋根部材との相対位置関係を調整することができるので、設置場所の状況に対応して支持部材に対する屋根部材の位置を調整することができる。例えば、積雪地域において庇などの小屋根のない外壁面に沿って本空気調和機用屋根装置を使用する場合であって、外壁面に突出部がない場合には、屋根部材の後端部が外壁面に接触するように、支持部材に対する屋根部材の位置を後面側にずらせるように調整することができる。このように支持部材に対する屋根部材の位置を調整すると、空気調和機用屋根装置と外壁面との隙間に雪が降り込むのを少なくすることができ、室外機の送風機に巻き込まれる雪の量を軽減することができる。なお、屋根部材をこのように外壁面に接触する位置まで後面側へずらさないでいると、室外機の吸い込み側となる室外機と外壁面との間に雪が引き込まれ、支持部材の外壁面側に雪が多く積もる。この結果、積もった雪が室外機の送風機に巻き込まれ易くなる。そして、巻き込まれた雪が送風機又はその近傍で氷塊として成長して、送風機の運転に支障をきたすという事故を招き易くなる。また、庇などの小屋根のある外壁面に沿って本空気調和機用屋根装置を設置する場合には、支持部材の外壁面側に雪が引き込まれて積もる量も少なくなるので、支持部材に対する屋根部材の位置を、前後方向の中心位置を略合わせた標準取付位置とすることができる。また、このように庇などの小屋根がある外壁面において、出窓、水配管、ガス配管などの突出物が存在する位置に設置したい場合には、この突出物との干渉を避けるように、支持部材に対する屋根部材の位置を前面側にずらせて取り付けることもできる。また、本発明は、屋根部材を支持部材に対して左右前後に移動することができるので、屋根部材と周囲のものとの干渉を避けることが容易になるので、屋根部材を大きくしても、据付上不利になることが少なくなる。
【０００８】
また、上記空気調和機用屋根装置において、支持部材には室外機を載置する１又は２以上の取付台部材を取り付けるようにしてもよい。このようにすると、空気調和機用載置台を兼用した空気調和機用屋根装置を提供することができる。
【０００９】
また、前記支持部材は、平面視における４隅に支柱が立設され、該支柱は、前記取付台部材が取り付けられた取付台用支柱と、上部に屋根部材が取り付けられている屋根用支柱とに上下方向に分割可能に形成されているものとしてもよい。このように構成すると、分割された上方部分、すなわち、屋根用支柱及び屋根部材の組合せ物は、これ自身空気調和機用屋根装置として使用することもできる。また、分割された下方部分、すなわち、取付台部材と取付台用支柱の組合せ物は、空気調和機用載置台として使用することもできる。このように上下に分割された組合せ物は、空気調和機用載置台又は空気調和機用屋根装置として共通化を図ることができ、コスト軽減に寄与することができる。なお、取付台部材と取付台用支柱の組合せ物は、１段に限るものではなく２段積み以上とすることもできる。
【００１０】
また、前記支持部材は、平面視における４隅に立設された支柱と、両側面部に立設された前後の支柱の上端部間に架設される上ステーとを有し、該上ステーは、前後の支柱に対し前後方向にスライドさせながら位置調整できるように取り付けられ、前記屋根部材は、前記左右の上ステーに対し左右方向にスライドさせながら位置調整できるように取り付けられているものとしてもよい。このように構成すると、屋根部材を左右前後にスライドさせることにより、支持部材に対する屋根部材の位置を容易に調整することができる。
【００１１】
また、前記上ステーは、前記支柱の上部及び上ステーに設けられたボルト孔に対しボルトを貫通させ、このボルトに対しナットを締結することにより取り付けられるものであって、前記上ステーに設けられたボルト孔を上ステーの長手方向に長い長孔に形成することもできる。このようにすると、支柱に丸孔を明ければよいので、支柱の前後方向の寸法を長孔形成のために大きくする必要がなくなり、コスト軽減が容易になる。
【００１２】
また、前記上ステーを後面側の支柱に取り付けるためのボルトとナットとの締結部分に、本空気調和機用屋根装置の転倒防止に使用するフック部を設けるようにしてもよい。このようにすると、外壁面にフックボルトボルトを設け、アイナットに形成されている貫通孔とフックボルトボルトとの間に空気調和機用屋根装置の固定用針金を容易に取り付けることができる。
【００１３】
また、前記屋根部材は、屋根部材において左右方向にスライド自在に保持された締結具により前記上ステーに対し取り付けられているようにしてもよい。このようにすると、上ステーには丸孔を明ければよいので、上ステーの左右方向の寸法を大きくする必要がなくなり、コスト軽減が容易になる。
【００１４】
また、前記締結具はボルトとナットにより構成され、また、前記屋根部材は、左右方向全長に延びる屋根板を前後方向に複数並べて形成され、該複数の屋根板は、屋根部材の略左右方向全体に延びる屋根板相互の接合部間に、内部の幅寸法が開口部の幅寸法より大きい袋状凹溝が形成されるように構成され、さらに、前記袋状凹溝は、前記締結具を構成するナットがネジ孔を開口部に向けた状態で左右方向にスライド可能に保持できるように形成され、かつ、開口部の幅寸法が前記締結具のボルトを貫通させるのに適合した寸法となるように形成されたものとしてもよい。このように構成すると、屋根板を組み合わせて屋根部材を組み立てることにより、締結具を屋根部材に対し左右方向にスライド可能とする溝構造を形成することができるので、屋根部材及び締結具のコストを軽減することができる。
【００１５】
前記袋状凹溝は、開口部における少なくとも任意の１箇所以上に、屋根部材の裏面側から前記締結具を構成するナットを袋状凹溝内に挿入可能とする切欠孔を有するようにすることもできる。このようにすると、屋根板を組み合わせて屋根部材を形成した後に、前記締結具のナットを袋状凹溝内に挿入することができるとともに、所定の位置にスライドさせる距離も短くなり組立作業の工数を軽減することができる。
【発明の効果】
【００１６】
本発明に係る空気調和機用屋根装置によれば、室外機の日除け屋根、防雨屋根、防雪屋根として使用できる。また、この空気調和機用屋根装置は、支持部材と屋根部材との相対位置関係を調整することができるので、設置場所の状況に対応して支持部材に対する屋根部材の位置を調整することができる。この結果、据付上の利便性を向上させることができる。
【発明を実施するための最良の形態】
【００１７】
以下に、本発明を具体化した実施の形態に係る空気調和機用屋根装置は、空気調和機用屋根装置は空気調和機用載置台を兼用するものである。以下この空気調和機用屋根装置を図面に基づいて説明する。図１は、本実施の形態に係る空気調和機用屋根装置の分解斜視図である。図２は、同空気調和機用屋根装置の正面側から見た斜視図である。なお、この空気調和機用屋根装置における正面とは建物の外壁面に沿って配置されるときに反外壁面側となる面であって、傾斜する屋根部材の下方側を前面とする。図３は、同空気調和機用屋根装置の正面図である。図４は、同空気調和機用屋根装置における屋根部材の裏面図である。図５は、同空気調和機用屋根装置の側面図であって、外壁面に沿って載置された一例を示す据付図である。図６は、同空気調和機用屋根装置の側面図であって、外壁面に沿って載置された他の例を示す据付図である。図７は、図３におけるＡ−Ａ断面図である。図８は、図３におけるＢ−Ｂ断面図である。図９は、図４におけるＣ−Ｃ断面図である。図１０は、図４におけるＤ−Ｄ断面図である。図１１は、同空気調和機用屋根装置における外壁面への固定要領図である。図１２は、同空気調和機用屋根装置において上下方向に分割された上方部の組合せ物の斜視図である。
【００１８】
これら図に示すように、本実施の形態に係る空気調和機用屋根装置は、支持部材１と屋根部材２とから構成されている。支持部材１は、平面視における４隅に支柱３が立設されている。この支柱３は、図１から良くわかるように、取付台部材４が取り付けられた取付台用支柱５と、上部に屋根部材２が取り付けられている屋根用支柱７とに、筒状連結部材８を介して分割可能に形成されている。屋根用支柱７と取付台用支柱５とは、図２の斜視図から分かるように、筒状連結部材８の内部に上下方向から屋根用支柱７と取付台用支柱５とを差し込んで連結するように構成されている。
【００１９】
各取付台用支柱５は、水平断面が略４角形の筒状のアルミニウム製押出型材から形成されている。取付台部材４は、前面側及び後面側に位置する左右の取付台用支柱５間に架設された２本の横ステー９と、左右両側面部に位置する前後の取付台用支柱５間に架設された縦ステー１０と、前後の横ステー９間に架設された支持ステー１１とから構成されている。取付台用支柱５は、前述の筒状連結部材８に対し樹脂製スペーサ（図示せず）を介在させて強固に差し込み結合している。また、支持ステー１１上に室外機１２が搭載されるように形成されている。なお、取付台部材４、横ステー９、縦ステー１０もアルミニウム製押出型材から形成されている。このように、４本の取付台用支柱５と取付台部材４とから構成された部分は、取付台用支柱５の長さが短い場合は平置台として、また、取付台用支柱５の長さが長い場合は高置台として使用することもできる。
【００２０】
各屋根用支柱７は、水平断面が取付台用支柱５と略同形状であって、略４角形の筒状のアルミニウム製押出型材から形成されている。各屋根用支柱７の下端は、筒状連結部材８の上方部に挿入し得るように開放されている。また、そして、屋根用支柱７は、前述の筒状連結部材８に対し樹脂製スペーサ（図示せず）を介在させて強固に差し込み結合している。また、この屋根用支柱７、上ステー１３、屋根部材２の組合せ物は、概して図１２のような形状をしており、これ単独で空気調和機用屋根装置としても使用できる。なお、上ステー１３もアルミニウム製押出型材から形成されている。なお、屋根用支柱７と取付台用支柱５との連結構造については、上記構成に代えて、屋根用支柱７と取付台用支柱５とを連結する連結部材を、屋根用支柱７の下端の内部及び取付台用支柱５の上端の内部にそれぞれ差し込む構成としてもよい。また、連結部材と屋根用支柱７及び取付台用支柱５との連結をより強固なものとするために、圧接具（屋根用支柱７の下端部から取付台用支柱５の上端部に跨って配置される板状部材）を設け、この圧接具と屋根用支柱７の下端及びこの圧接具と取付台用支柱５の上端とをボルト止めすることにより、屋根用支柱７と取付台用支柱５との連結をより強固なものとしてもよい。
【００２１】
屋根用支柱７は、図２、図５、図６等に示すように、前面側の屋根用支柱７が低く、後面側の屋根用支柱７が高く形成され、それぞれの上端部は所定の角度で一直線状になるように傾斜している。そして、前面側及び後面側の屋根用支柱７の上端には、図７及び図８に示すように樹脂製のキャップ７ａが取り付けられている。さらに、支持部材１の左右両側面部において、前面側の屋根用支柱７の上端部と後面側の屋根用支柱７の上端部との間に上ステー１３がそれぞれ架設されている（図７及び図８参照）。各上ステー１３は、断面略コ字形を成している。また、各上ステー１３は、その開放部側１３ａが下方向となり、かつ、前面側の屋根用支柱７の上端部と後面側の屋根用支柱７の上端部のキャップ７ａの上方から被さるように取り付けられている。上ステー１３と前面側の屋根用支柱７の上端部との固定、及び、上ステー１３と後面側の屋根用支柱７の上端部との固定は、上ステー１３、屋根用支柱７及びキャップ７ａを左右方向に水平に貫通する六角ボルト１４、座金１５、１６、六角ボルト１４に締結される六角ナット１７及びアイナット１８等により行われている。この構成において屋根用支柱７の上端部の両側面部には、丸孔からなるボルト孔１９が形成されているのに対し、上ステー１３の両側面部には下辺に沿うように、つまり、上ステー１３の長手方向に長い長孔からなるボルト孔２０が形成されている。したがって、上ステー１３は屋根用支柱７に対し、この長孔からなるボルト孔２０の長さ分だけ前後方向にスライド式に位置調整可能に取り付けられている。なお、長孔からなるボルト孔２０の中央の位置で六角ボルト１４と六角ナット１７又はアイナット１８とを締結すると、屋根部材２の前後方向の中心位置と支持部材１の前後方向の中心位置とが略一致する。また、このような状態が屋根部材２の標準取付位置である。
【００２２】
上記の上ステー１３と屋根用支柱７との締結具として用いられるナットは、前面側は通常の六角ナット１７であるが、後面側はアイナット１８である。アイナット１８の孔部は、本空気調和機用屋根装置の転倒防止に使用するフック部を構成する。図１１に示すように、このフック部には針金２１が係止され、この針金２１を外壁面２２に固定されたフックボルトボルト２２ａに固定することにより、本空気調和機用屋根装置を外壁面２２に固定可能とされている。また、各上ステー１３の上面、つまり、コ字状の底面部には図１に示すように屋根部材２を固定するための丸孔からなるボルト孔２３がそれぞれ２個所に形成されている。
【００２３】
屋根部材２は、図１〜図６に示されるように、左右方向全長に延びる屋根板２ａ、２ｂ、２ｃを前後方向に複数並べたものであって、後面側から前面側に向かって片流れに傾斜するように構成されている。複数の屋根板２ａ、２ｂ、２ｃは、屋根部材２の略左右方向全体に延びる屋根板２ａ、２ｂ、２ｃ相互の接合部間に、袋状凹溝２５が形成されるように構成されている（図９及び図１０参照）。袋状凹溝２５は、屋根部材２と上ステー１３との締結具を構成する六角ナット２６がネジ孔を開口部２７に向けた状態で左右方向にスライド可能に保持できるように、内部の幅寸法が設定されている。また、開口部２７の幅寸法は、前記締結具を構成する六角ボルト２８を貫通させるのに適合した寸法となるように、形成されている。したがって、開口部２７の幅寸法は袋状凹溝２５の幅寸法より小さく形成されている。
【００２４】
屋根板２ａ、２ｂ、２ｃ間の接合は、図９に示すように、一方の屋根板２ａに形成された凹状円弧部２９に対し、他方の屋根板２ｂに形成された突状円弧部３０を噛み合わせるように行われている。また、突状円弧部３０を備えた屋根板２ｂ側には、突状円弧部３０の内側に対向して仕切壁３１が形成されている。この仕切壁３１と前記突状円弧部３０の端部との距離が、屋根板２ａ、２ｂ、２ｃと上ステー１３との締結具を構成する六角ナット２６の対角線寸法より若干大きく形成され、この部分に六角ナット２６をスライド式に挿入できるように形成されている。また、この袋状凹溝２５内に対し、屋根板２ａ、２ｂ、２ｃ側から袋状凹溝２５内に突出する支持リブ３２が形成されている。この支持リブ３２は、前記六角ナット２６を所定位置に保持するためのものである。また、屋根板２ａ、２ｂ、２ｃの接合側の端部には、図９に示すように、接合される両屋根板２ａ、２ｂから屋根面と平行な平坦な突出片３３、３４が形成され、この突出片３３、３４の端部を対向させることにより、前記開口部２７が形成されている。なお、屋根板２ａ、２ｂ、２ｃの組立は、これら屋根板２ａ、２ｂ、２ｃの左右端部を枠部材３５により挟持して固定することにより行われている。また、屋根板２ａ、２ｂ、２ｃ及び枠部材３５は、アルミニウム製押出型材から形成されている。
【００２５】
屋根部材２と上ステー１３との結合作業は、前述の上ステー１３のコ字形における底面部を前述の突出片３３、３４に押し当て、締結具を構成する六角ボルト２８を、上ステー１３におけるコ字状内から前記袋状凹溝２５の開口部２７を貫通して、袋状凹溝２５内に保持されている六角ナット２６に螺合させることにより行われている。一方、六角ナット２６の位置及び六角ボルト２８の貫通は、屋根部材２の左右方向幅全長にわたり随時の位置で行うことができるので、六角ナット２６の位置をスライドさせることにより、屋根部材２を上ステー１３に対しスライドさせて位置調整できるように取り付けることができる。なお、屋根部材２の左右方向の中心位置と支持部材１の左右方向の中心位置とが略一致する位置が標準取付位置である。
【００２６】
前記袋状凹溝２５への六角ナット２６の挿入は、屋根部材２を組み立てるときに、左右の枠部材３５を取り付ける前に挿入することができるが、万一入れ忘れたりするようなことがあると、分解しないと挿入することができなくなるので、この袋状凹溝２５の左右方向における中央部に、六角ナット２６を裏面側から袋状凹溝２５内に挿入できるように、前記屋根面と平行な平坦な突出片３３、３４を切り欠いて開口部２７に切欠孔３６を設けている。なお、このような切欠孔３６は、１個に限られるものではなく適宜の複数個にしてもよい。
【００２７】
このように構成された空気調和機用屋根装置は、通常は建物の外壁面に沿って設置される。図５は外壁面２２に庇等の小屋根がない場合の据付例である。この場合は、外壁面２２に沿って雪が空気調和機用屋根装置の背部に誘引され降り積もるのを避けることが必要である。仮に空気調和機用屋根装置の背部に雪が降り積もると、積もった雪が室外機１２の吸込口から巻き込まれ易くなる。雪が吸込口から巻き込まれると、巻き込まれた雪が送風機の羽根やベルマウスなどに付着し、氷塊となって成長を続けるため、送風機の運転に支障を来す恐れがある。そこで、本空気調和機用屋根装置を用いる場合は、上ステー１３を屋根用支柱７に対し後面側にスライドさせて取り付けることにより、支持部材１に対する屋根部材２の位置を後面側に調整する。また、屋根部材２は、屋根部材２の後端が外壁面２２に当接するまで移動させる。屋根部材２をこのようにして取り付けると、空気調和機用屋根装置の背部への雪の降り積もりを回避することができ、送風機の運転に支障を来すような前記事故を軽減することができる。
【００２８】
図６は、外壁面２２に庇等の小屋根４１があり、屋根部材２の高さ位置に出窓などの突出物４２がある場合の例である。この場合は小屋根４１があるため、屋根部材２を標準取付位置として、屋根部材２が外壁面２２からの突出物４２に干渉されないように支持部材１を外壁面２２から離した位置にセットすることも可能であるが、この場合には室外機１２の吸い込み側空間が必要以上に大きくなることが考えられる。そこで、このような場合に、屋根部材２を図示のように前面側にずらせることにより、支持部材１の位置、つまり、室外機１２の位置を外壁面２２から適切な位置に調整することが可能となる。
【００２９】
なお、外壁面２２からの突出物４２は、上記例に限らず、水配管、ガス配管などの他の突出物が屋根部材２の側面部に現れる場合もある。このような場合は、屋根部材２を上ステー１３に固定する左右方向の位置を、袋状凹溝２５に沿ってスライドさせることにより、上ステー１３に対する屋根部材２の取付位置を適宜調節して、屋根部材２と外壁面２２からの突出物との干渉を避けることができる。
【００３０】
本実施の形態は、以上のように構成されているので、次のような効果を奏することができる。
（１）  本実施の形態に係る空気調和機用屋根装置によれば、室外機１２の日除け屋根、防雨屋根、防雪屋根として使用できる。また、防雪屋根として使用する場合、屋根部材２の上面に積もった雪は、屋根部材２が前方に傾斜しているので室外機１２の前方にのみ落下する。室外機１２の前方は、室外機１２内に搭載された室外コイルと熱交換した後の空気が吹き出される吹出側となっているので、前方に落下した雪で室外機１２の運転が支障をきたすことが少ない。また、この空気調和機用屋根装置は、支持部材１と屋根部材２との相対位置関係を調整することができるので、設置場所の状況に対応して支持部材１に対する屋根部材２の位置を調整することができる。また、このように屋根部材２を支持部材１に対し前後左右に位置調整できるように構成しているので、屋根部材２を固定する場合に比し大きくすることができる。すなわち、屋根部材を支持部材に対し固定式にしている従来のものでは、支持部材と屋根部材の何れかが他の物に当ると、それだけで据え付けることができなくなる。したがって、屋根部材を大きくすると、屋根部材の１辺がどこかに当るケースが多くなり、その分据付条件が厳しくなる。これに対し、本実施の形態の場合には、支持部材１と屋根部材２との相対位置を左右前後に変化させることができるので、屋根部材の１辺又は２辺がどこかに当るような場合には、屋根部材の位置を前後左右にずらせることにより据付を可能にできる。したがって、本実施の形態の場合には、従来屋根部材を大きくしてより確実に室外機を保護することが可能となる。
【００３１】
（２）  また、支持部材１に対する屋根部材２の位置調整は、スライド式に行えるので調整作業が容易である。すなわち、屋根部材２を前後方向に位置調整するときは、六角ボルト１４、六角ナット１７及びアイナット１８を緩めて、上ステー１３を屋根用支柱７に対し前後方向にスライドさせて調整し、締結具を締め付ければよい。また、屋根部材２を左右方向に位置調整するときは、屋根部材２を上ステー１３に固定している締結具としての六角ボルト２８を緩めて上ステー１３に対する屋根部材２の位置を左右にスライドさせて位置調整し、六角ボルト２８を締め付ければよい。
【００３２】
（３）  また、上ステー１３の長手方向に長孔からなるボルト孔２０が形成されて、屋根用支柱７に対する上ステー１３の位置をスライド式に変更できるようにしているので、屋根用支柱７に開けるボルト孔は丸孔でよく、屋根用支柱７の幅を大きくすることなく屋根部材２を前後方向にスライド式に位置調整することができる。
【００３３】
（４）  また、上ステー１３を後面側の屋根用支柱７に取り付けるためのナットとして、アイナット１８を使用しているので、このアイナット１８を利用して本空気調和機用屋根装置を外壁面２２に固定して、空気調和機用屋根装置の転倒等を防止することができる。
【００３４】
（５）  屋根部材２と上ステー１３とを固定する締結具が屋根部材２の左右方向にスライド可能に形成されているので、上ステー１３に明けるボルト孔１９は丸孔でよく、上ステー１３の幅を広げることなく、屋根部材２を左右方向にスライド式に位置調整できる。
【００３５】
（６）  屋根部材２と上ステー１３とを固定する締結具のナット挿入用の袋状凹溝２５は、屋根部材２を構成する屋根板２ａ、２ｂ、２ｃの組み合わせ接合により形成されるので、袋状凹溝２５を形成するためのコストを軽減することができる。
【００３６】
（７）  袋状凹溝２５の開口部２７には、屋根部材２と上ステー１３との締結具を構成する六角ナット２６を、屋根部材２の裏面側から挿入できるようにするための切欠孔３６を少なくとも１個所に設けているので、この六角ナット２６の挿入が容易である。
【００３７】
支持部材１には室外機を載置する１又は２以上の取付台部材４を取り付けるようにしているので、空気調和機用載置台を兼用した空気調和機用屋根装置を提供することができる。
【００３８】
（９）  屋根用支柱７、上ステー１３及び屋根部材２の上方部の組合せ物は、空気調和機用屋根装置として使用することができる。また、取付台用支柱５、取付台用部材の組合せ物は平置台又は高置台として使用することができる。したがって、各構成部品を載置台兼用の空気調和機用屋根装置、載置台兼用でない屋根装置又は空気調和機用載置台の部品として共通化を図ることができ、コスト軽減に寄与することができる。
【００３９】
（１０）  また、取付台用支柱５と取付台部材４と組合せ物は、取付台用支柱５の長さが短い場合は平置台として、また、取付台用支柱５の長さが長い場合は高置台として使用することもできる。
【００４０】
なお、上記実施の形態は、次のように変更することができる。取付台部材４と取付台用支柱５の組合せ物が１段に形成されていたが、これに限るものではなく、２段積み以上としてもよい。
【００４１】
また、上記実施の形態においては、上ステー１３と屋根用支柱７との締結具としてアイナット１８を使用し、このアイナット１８の孔部を本空気調和機用屋根装置のフック部としていたが、これに代わる構成を図１３に示す。この代案は、アイナット１８の代わりにと転倒防止用金具５１と六角ナット５２とを用いたものである。転倒防止用金具５１は、ボルト１４貫通用のボルト孔５３とフック部をなす孔部５４とを有する。本フック部には前述の外壁面２２に取り付けられるフックボルト２２ａとの間を針金２１により結合している。このように構成しても、図１１の場合と同様に空気調和機用屋根装置の転倒を防止することができる。
【産業上の利用可能性】
【００４２】
本屋根装置は、以上の説明のように、積雪地域における使用に好都合な屋根装置を意図したものであることを意図しているが、その他の地域においても室外機の防雪屋根、防雨屋根、日除け屋根として使用することができる。また、取付台部材を備えている場合は、室外機の載置台を兼用して使用することもできる。
【図面の簡単な説明】
【００４３】
【図１】本実施の形態に係る空気調和機用屋根装置の分解斜視図である。
【図２】同空気調和機用屋根装置の正面側から見た斜視図である。
【図３】同空気調和機用屋根装置の正面図である。
【図４】同空気調和機用屋根装置における屋根部材の裏面図である。
【図５】同空気調和機用屋根装置の側面図であって、外壁面に沿って載置された一例を示す据付図である。
【図６】同空気調和機用屋根装置の側面図であって、外壁面に沿って載置された他の例を示す据付図である。
【図７】図３におけるＡ−Ａ断面図である。
【図８】図３におけるＢ−Ｂ断面図である。
【図９】図４におけるＣ−Ｃ断面図である。
【図１０】図４におけるＤ−Ｄ断面図である。
【図１１】同空気調和機用屋根装置における外壁面への固定要領図である。
【図１２】同空気調和機用屋根装置における上方部の組合せ物の斜視図である。
【図１３】同空気調和機用屋根装置における転倒防止用フック部の代案構成図である。
【図１４】従来の空気調和機用屋根装置の外壁面に沿って載置された一例を示す据付状態図である。
【符号の説明】
【００４４】
１    支持部材
２    屋根部材
２ａ、２ｂ、２ｃ    屋根板
３    支柱
４    取付台部材
５    取付台用支柱
７    屋根用支柱
１２    室外機
１３    上ステー
１４    六角ボルト
１７    六角ナット
１８    アイナット
１９、２０  ボルト孔
２２ａ    フックボルト
２５    袋状凹溝
２６    六角ナット
２７    開口部
２８    六角ボルト
３６  切欠孔
【図１】
2006300432.tif 000003
【図２】
2006300432.tif 000004
【図３】
2006300432.tif 000005
【図４】
2006300432.tif 000006
【図５】
2006300432.tif 000007
【図６】
2006300432.tif 000008
【図７】
2006300432.tif 000009
【図８】
2006300432.tif 000010
【図９】
2006300432.tif 000011
【図１０】
2006300432.tif 000012
【図１１】
2006300432.tif 000013
【図１２】
2006300432.tif 000014
【図１３】
2006300432.tif 000015
【図１４】
2006300432.tif 000016